【手続補正書】
【提出日】平成18年8月9日(2006.8.9)
【手続補正１】
【補正対象書類名】特許請求の範囲
【補正対象項目名】全文
【補正方法】変更
【補正の内容】
【特許請求の範囲】
【請求項１】
１つ以上の他の通信端末装置とグループを構成してグループ内で通信を行う通信端末装置であって、
他の通信端末装置に少なくとも報知信号、および／または通信パラメータを含むパケットを送信する送信部と、
他の通信端末装置から少なくとも報知信号、および／または通信パラメータを含むパケットを受信する受信部と、
ネットワークに関する通信パラメータに応じた通信制御を実行する制御部を備え、
前記制御部は、前記受信部で受信したパケットに含まれ、使用中の通信パラメータとは異なる通信パラメータに従って通信形態を切り替えることを特徴とする通信端末装置。
【請求項２】
前記制御部は、少なくとも通信パラメータに基づいて、前記グループ内の通信に対する途中参加、途中離脱、前記報知信号を送信するコーディネータとしての機能の交代を判断可能である
請求項１記載の通信端末装置。
【請求項３】
ネットワークにおけるグループ内のコーディネータとして機能可能で、ネットワークにおけるコーディネータの消失を報知信号と他の通信端末装置からのフレームの不受信によって検出し、所定のターゲットの報知信号送信時刻における送信タイミングがネットワーク内で最も早い場合に、自身が新たなコーディネータとなり報知信号の送信を行うことができる機能を有する
請求項２記載の通信端末装置。
【請求項４】
すでに所定モードに遷移した通信状態にあるコーディネータとして機能し、コーディネータ機能の交代要求を行う通信端末装置に対して交代要求フレームを送信し、コーディネータとして機能していない通信端末装置にコーディネータ機能を移管することのできる機能を有する
請求項２記載の通信端末装置。
【請求項５】
通信端末からのコーディネータ機能の交代要求フレームに応答し、コーディネータ機能の移管を受け入れて報知信号を送信し、コーディネータ機能を担うことができる機能を有する
請求項２記載の通信端末装置。
【請求項６】
前記制御部は他の通信端末装置から受信した信号に基づいて当該他の通信端末装置の送信タイミングを検出し、前記送信部が検出したタイミングを用いて送信するように制御する
請求項１記載の通信端末装置。
【請求項７】
前記制御部は、任意のチャネルで通信されているすべてのネットワークから検出した送信タイミング一覧の最大値よりも、所定のスロット分だけ大きいタイミングで送信可能なように制御する
請求項６記載の通信端末装置。
【請求項８】
前記送信部は、所定のサイクリックな報知信号ナンバーを持った報知信号を一定周期で送信可能で、
前記制御部は、任意の報知信号ナンバーの時点で、前記送信部が、既に送信した報知信号の情報とは異なるネットワーク内の新たな情報を含んだ報知信号を送信するように制御する
請求項１記載の通信端末装置。
【請求項９】
前記制御部は、通信端末装置の送信するフレームを受信するために受信時間を通常よりも長くするように制御する
請求項８記載の通信端末装置。
【請求項１０】
前記制御部は、ある間隔で受信する報知信号の情報が変更になった場合に、その報知信号の間隔以降、その報知信号の情報に応じた通信パラメータを使った送受信を行うことのできるように制御する
請求項１記載の通信端末装置。
【請求項１１】
パケットの送受信に使用している通信パラメータを保持する保持部をさらに有し、
前記受信部が、使用中の通信パラメータとは異なる新たな通信パラメータを受信すると、前記制御部は、その新たな通信パラメータを前記保持部に記録し、
前記受信部が、既に送信された報知信号の情報とは異なるネットワーク内の新たな情報を含んだ報知信号を受信すると、前記制御部は、前記保持部において新たに記録した通信パラメータを使用して、送受信を行うように制御する
請求項１０に記載の通信端末装置。
【請求項１２】
報知信号の送信を送信順序値と同期させることのできる機能を有する
請求項６記載の通信端末装置。
【請求項１３】
１つ以上の他の通信端末装置とグループを構成してグループ内で通信を行う通信システムであって、
各通信端末装置は、
他の通信端末装置に少なくとも報知信号、および／または通信パラメータを送信する送信部と、
他の通信端末装置から少なくとも報知信号、および／または通信パラメータを受信する受信部と、
ネットワークに関する通信パラメータに応じた通信制御が可能で、前記受信部で受信した通信パラメータに従った通信形態に切り替え可能な制御部と
を有する通信システム。
【請求項１４】
前記送信部は、所定のサイクリックな報知信号ナンバーを持った報知信号フレームを一定周期で送信可能で、
前記制御部は、任意の報知信号ナンバーの時点で、前記送信部がネットワーク内の新たな情報を含んだ報知信号を送信するように制御する
請求項１３記載の通信システム。
【請求項１５】
前記制御部は、通信端末装置の送信するフレームを受信するために受信時間を通常よりも長くするように制御する
請求項１４記載の通信システム。
【請求項１６】
前記制御部は、報知信号の情報が変更になった場合にその報知信号の間隔以降、その報知信号の情報に応じた通信パラメータを使った送受信を行うことのできるように制御する
請求項１３記載の通信システム。
【請求項１７】
各通信端末装置は、パケットの送受信に使用している通信パラメータを保持する保持部をさらに有し、
前記受信部が、使用中の通信パラメータとは異なる新たな通信パラメータを受信すると、前記制御部は、その新たな通信パラメータを前記保持部に記録し、
前記受信部が、ネットワーク内の新たな情報を含んだ報知信号を受信すると、前記制御部は、前記保持部において新たに記録した通信パラメータを使用して、送受信を行うように制御する
請求項１６に記載の通信システム。
【請求項１８】
報知信号の情報が変更になった場合に、各通信端末装置は、使用していた通信パラメータを、その報知信号の情報に応じた通信パラメータに一斉に切り替えることを特徴とする請求項１３に記載の通信システム。
【請求項１９】
１つ以上の他の通信端末装置とグループを構成してグループ内で通信を行う通信方法であって、
他の通信端末装置に少なくとも報知信号、および／または通信パラメータを含むパケットを送信するステップと、
他の通信端末装置から少なくとも報知信号、および／または通信パラメータを含むパケットを受信するステップと、
ネットワークに関する通信パラメータに従った通信制御を実行するステップと、
受信したパケットに含まれ、使用中の通信パラメータとは異なる通信パラメータに従って通信形態を切り替えるステップと、
を有することを特徴とする通信方法。
【請求項２０】
１つ以上の他の通信端末装置とグループを構成してグループ内で通信を無線通信するための処理をコンピュータ・システム上で実行するようにコンピュータ可読形式で記述されたコンピュータ・プログラムであって、コンピュータに、
他の通信端末装置に少なくとも報知信号、および／または通信パラメータを含むパケットを送信させる機能と、
他の通信端末装置から少なくとも報知信号、および／または通信パラメータを含むパケットを受信させる機能と、
ネットワークに関する通信パラメータに従った通信制御を実行させる機能と、
受信したパケットに含まれ、使用中の通信パラメータとは異なる通信パラメータに従って通信形態を切り替えさせる機能と、
を実行させるプログラム。